(57)【要約】【課題】従来の記録再生装置の追っかけ再生機能においては、通常再生に切り替わる際に、画面上でのスピードが変わり、視聴者が違和感を覚えることがあった。【解決手段】この発明は、放送受信された放送から時刻情報を抽出する時刻情報抽出手段と、番組の放送スケジュールに関する情報を抽出する番組情報抽出手段と、記録手段の記録再生を制御する記録再生制御手段とを備え、記録媒体への番組の記録開始の指示および記録媒体に記録された番組の再生開始の指示を受け、番組の記録開始時刻、再生開始時刻および番組の再生終了時刻を時刻情報抽出手段で取得された時刻に基づいて決定し、番組を記録手段へ記録しながら再生し、放送終了時刻に合わせて記録媒体に記録された番組の再生を終了するようにしている。【選択図】　図１
2004048525.tif 000002
【特許請求の範囲】
【請求項１】
放送受信された番組を記録手段へ記録しながら、この記録された番組を再生する記録再生装置において、
前記受信された番組が記録される記録手段と、
前記放送受信された放送からこの放送で送信される時刻情報を抽出する時刻情報抽出手段と、
前記放送受信された放送からこの放送で送信される番組の放送スケジュールに関する情報を抽出する番組情報抽出手段と、
前記記録手段の記録再生を制御する記録再生制御手段とを備え、
前記記録再生制御手段は前記記録媒体への番組の記録開始の指示および前記記録媒体に記録された番組の再生開始の指示を受け、前記番組の記録開始時刻および前記番組の再生開始時刻を前記時刻情報抽出手段で取得された時刻に基づいて決定し、前記記録媒体に記録された番組の再生終了時刻を前記番組情報抽出手段で取得された番組情報に基づいて決定し、前記番組の記録開始時刻、前記番組の再生開始時刻および前記記録媒体に記録された番組の再生終了時刻を用いて前記番組を前記記録手段へ記録しながら再生し、前記番組の放送終了時刻に合わせて前記記録媒体に記録された番組の再生を終了するよう制御することを特徴とする記録再生装置。
【請求項２】
放送受信された番組を記録手段へ記録しながら、この記録された番組を再生する記録再生装置において、
前記受信された番組が記録される記録手段と、
前記放送受信された放送からこの放送で送信される時刻情報を抽出する時刻情報抽出手段と、
前記時刻情報抽出手段で抽出された時刻情報を取得し、この時刻情報を基準として時刻合わせを行って前記抽出された時刻情報より精度の高い第２の時刻情報を生成する時刻生成手段と、
前記放送受信された放送からこの放送で送信される番組の放送スケジュールに関する情報を抽出する番組情報抽出手段と、
前記記録手段の記録再生を制御する記録再生制御手段とを備え、
前記記録再生制御手段は前記記録媒体への番組の記録開始の指示および前記記録媒体に記録された番組の再生開始の指示を受け、前記番組の記録開始時刻および前記番組の再生開始時刻を前記時刻生成手段で取得された時刻に基づいて決定し、前記記録媒体に記録された番組の再生終了時刻を前記番組情報抽出手段で取得された番組情報に基づいて決定し、前記番組の記録開始時刻、前記番組の再生開始時刻および前記記録媒体に記録された番組の再生終了時刻を用いて前記番組を前記記録手段へ記録しながら再生し、前記番組の放送終了時刻に合わせて前記記録媒体に記録された番組の再生を終了することを特徴とする記録再生装置。
【請求項３】
放送受信された番組を記録手段へ記録しながら、この記録された番組を再生する記録再生装置において、
放送を受信する放送受信手段と、
前記放送受信手段で受信された番組が記録される記録手段と、
前記放送受信手段で受信された放送から放送と共に送信される時刻情報を抽出する時刻情報抽出手段と、
前記放送受信された放送から放送と共に送信される番組の放送スケジュールに関する情報を抽出する番組情報抽出手段と、
前記記録手段の記録再生を制御する記録再生制御手段とを備え、
前記記録再生制御手段は前記記録媒体への番組の記録開始の指示および前記記録媒体に記録された番組の再生開始の指示を受け、前記番組の記録開始時刻および前記番組の再生開始時刻を前記時刻情報抽出手段で取得された時刻に基づいて決定し、前記記録媒体に記録された番組の再生終了時刻を前記番組情報抽出手段で取得された番組情報に基づいて決定し、前記番組の記録開始時刻、前記番組の再生開始時刻および前記記録媒体に記録された番組の再生終了時刻を用いて前記番組を前記記録手段へ記録しながら再生し、前記番組の放送終了時刻に合わせて前記記録媒体に記録された番組の再生を終了するよう制御することを特徴とする記録再生装置。
【請求項４】
放送受信された番組を記録手段へ記録しながら、この記録された番組を再生する記録再生装置において、
前記受信された番組が記録される記録手段と、
前記放送受信された放送からこの放送で送信される時刻情報を抽出する時刻情報抽出手段と、
前記放送受信された放送からこの放送で送信される番組の放送スケジュールに関する情報を抽出する番組情報抽出手段と、
前記記録手段の記録再生を制御する記録再生制御手段とを備え、
前記記録再生制御手段は前記記録媒体への番組の記録開始の指示および前記記録媒体に記録された番組の再生開始の指示を受け、前記番組の記録開始時刻（Ｔ１）および前記番組の再生開始時刻（Ｔ２）を前記時刻情報抽出手段で取得された時刻に基づいて決定し、前記記録媒体に記録された番組の再生終了時刻（Ｔ３）を前記番組情報抽出手段で取得された番組情報に基づいて決定する手段と、
前記記録媒体に記録された番組の再生速度（Ｐ）をＰ＝（Ｔ３−Ｔ１）／（Ｔ３−Ｔ２）の関係で演算する再生速度演算手段とを備え、前記再生速度演算手段で演算された速度Ｐに基づいて前記記録媒体に記録された番組の再生を前記番組の放送終了時刻に合わせて終了するよう制御することを特徴とする記録再生装置。
【請求項５】
放送受信された番組を記録手段へ記録しながら、この記録された番組を再生する記録再生装置において、
前記受信された番組が記録される記録手段と、
前記放送受信された放送からこの放送で送信される時刻情報を抽出する時刻情報抽出手段と、
前記放送受信された放送からこの放送で送信される番組の放送スケジュールに関する情報を抽出する番組情報抽出手段と、
前記記録手段の記録再生を制御する記録再生制御手段とを備え、
前記記録再生制御手段は前記記録媒体への番組の記録開始の指示および前記記録媒体に記録された番組の再生開始の指示を受け、前記番組の記録開始時刻（Ｔ１）および前記番組の再生開始時刻（Ｔ２）を前記時刻情報抽出手段で取得された時刻に基づいて決定し、前記記録媒体に記録された番組の再生終了時刻（Ｔ３）を前記番組情報抽出手段で取得された番組情報に基づいて決定する手段と、
前記記録媒体に記録された番組の再生速度（Ｐ）をＰ＝（Ｔ３−Ｔ１）／（Ｔ３−Ｔ２）の関係で演算する再生速度演算手段と、
前記再生速度演算手段で演算された再生速度Ｐを所定値（Ｎ）と比較確認する速度確認手段と、
前記速度確認手段で比較確認された再生速度が所定値Ｎより大きい場合は前記記録手段に記録している番組に続いて放送される第２の番組の番組情報に基づいて再生終了時刻Ｔ３を変更する再生終了時刻変更手段とを備え、前記再生速度演算手段で演算された速度Ｐに基づいて前記記録媒体に記録された番組の再生を前記第２の番組の放送終了時刻に合わせて終了するよう制御することを特徴とする記録再生装置。
【請求項６】
放送受信された番組を記録手段へ記録しながら、この記録された番組を再生する記録再生装置において、
前記受信された番組が記録される記録手段と、
前記放送受信された放送からこの放送で送信される時刻情報を抽出する時刻情報抽出手段と、
前記放送受信された放送からこの放送で送信される番組の放送スケジュールに関する情報を抽出する番組情報抽出手段と、
前記記録手段の記録再生を制御する記録再生制御手段とを備え、
前記記録再生制御手段は前記記録媒体への番組の記録開始の指示および前記記録媒体に記録された番組の再生開始の指示を受け、前記番組の記録開始時刻を前記時刻情報抽出手段で取得された時刻に基づいて決定し、前記番組の再生開始時刻（Ｔ２）を前記記録媒体への番組の記録開始の指示を受けてから前記記録媒体に記録された番組の再生開始の指示を受けるまでの経過時間（Ｔｃ）を計測して前記前記記録媒体への番組の記録開始の指示を受けた時刻（Ｔ１）へ加えて決定（Ｔ２＝Ｔ１＋Ｔｃ）し、前記記録媒体に記録された番組の再生終了時刻を前記番組情報抽出手段で取得された番組情報に基づいて決定し、前記番組の記録開始時刻、前記番組の再生開始時刻および前記記録媒体に記録された番組の再生終了時刻を用いて前記番組を前記記録手段へ記録しながら再生し、前記番組の放送終了時刻に合わせて前記記録媒体に記録された番組の再生を終了するよう制御することを特徴とする記録再生装置。
【請求項７】
前記受信される放送はデジタル放送であり、前記時刻情報および前記番組の放送スケジュールに関する情報はデジタル信号の形態で受信された情報であることを特徴とする請求項１乃至６いずれかに記載の記録再生装置。
【請求項８】
放送受信された番組を記録しながら、この記録された番組を再生する記録再生方法において、
前記受信された番組を記録する記録ステップと、
前記受信された放送からこの放送で送信される時刻情報を抽出する時刻情報抽出ステップと、
前記放送受信された放送からこの放送で送信される番組の放送スケジュールに関する情報を抽出する番組情報抽出ステップと、
前記記録ステップにおける記録を制御する記録再生制御ステップとを備え、
前記記録再生制御ステップは前記記録媒体への番組の記録開始の指示および前記記録媒体に記録された番組の再生開始の指示を受け、前記番組の記録開始時刻および前記番組の再生開始時刻を前記時刻情報抽出ステップで取得された時刻に基づいて決定し、前記記録媒体に記録された番組の再生終了時刻を前記番組情報抽出ステップで取得された番組情報に基づいて決定し、前記番組の記録開始時刻、前記番組の再生開始時刻および前記記録媒体に記録された番組の再生終了時刻を用いて前記番組を前記記録しながら再生し、前記番組の放送終了時刻に合わせて前記記録媒体に記録された番組の再生を終了するよう制御することを特徴とする記録再生方法。
【請求項９】
放送受信された番組を記録しながら、この記録された番組を再生する記録再生方法において、
前記受信された番組が記録される記録ステップと、
前記放送受信された放送からこの放送で送信される時刻情報を抽出する時刻情報抽出ステップと、
前記時刻情報抽出ステップで抽出された時刻情報を取得し、この時刻情報を基準として時刻合わせを行って前記抽出された時刻情報より精度の高い第２の時刻情報を生成する時刻生成ステップと、
前記放送受信された放送からこの放送で送信される番組の放送スケジュールに関する情報を抽出する番組情報抽出ステップと、
前記記録ステップにおける記録を制御する記録再生制御ステップとを備え、
前記記録再生制御ステップは前記記録媒体への番組の記録開始の指示および前記記録媒体に記録された番組の再生開始の指示を受け、前記番組の記録開始時刻および前記番組の再生開始時刻を前記時刻生成ステップで取得された時刻に基づいて決定し、前記記録媒体に記録された番組の再生終了時刻を前記番組情報抽出ステップで取得された番組情報に基づいて決定し、前記番組の記録開始時刻、前記番組の再生開始時刻および前記記録媒体に記録された番組の再生終了時刻を用いて前記番組を前記記録しながら再生し、前記番組の放送終了時刻に合わせて前記記録媒体に記録された番組の再生を終了することを特徴とする記録再生方法。
【請求項１０】
放送受信された番組を記録しながら、この記録された番組を再生する記録再生方法において、
放送を受信する放送受信ステップと、
前記放送受信ステップで受信された番組が記録される記録ステップと、
前記放送受信ステップで受信された放送から放送と共に送信される時刻情報を抽出する時刻情報抽出ステップと、
前記放送受信された放送から放送と共に送信される番組の放送スケジュールに関する情報を抽出する番組情報抽出ステップと、
前記記録ステップにおける記録を制御する記録再生制御ステップとを備え、
前記記録再生制御ステップは前記記録媒体への番組の記録開始の指示および前記記録媒体に記録された番組の再生開始の指示を受け、前記番組の記録開始時刻および前記番組の再生開始時刻を前記時刻情報抽出ステップで取得された時刻に基づいて決定し、前記記録媒体に記録された番組の再生終了時刻を前記番組情報抽出ステップで取得された番組情報に基づいて決定し、前記番組の記録開始時刻、前記番組の再生開始時刻および前記記録媒体に記録された番組の再生終了時刻を用いて前記番組を前記記録しながら再生し、前記番組の放送終了時刻に合わせて前記記録媒体に記録された番組の再生を終了するよう制御することを特徴とする記録再生方法。
【請求項１１】
放送受信された番組を記録しながら、この記録された番組を再生する記録再生方法において、
前記受信された番組が記録される記録ステップと、
前記放送受信された放送からこの放送で送信される時刻情報を抽出する時刻情報抽出ステップと、
前記放送受信された放送からこの放送で送信される番組の放送スケジュールに関する情報を抽出する番組情報抽出ステップと、
前記記録ステップにおける記録を制御する記録再生制御ステップとを備え、
前記記録再生制御ステップは前記記録媒体への番組の記録開始の指示および前記記録媒体に記録された番組の再生開始の指示を受け、前記番組の記録開始時刻（Ｔ１）および前記番組の再生開始時刻（Ｔ２）を前記時刻情報抽出ステップで取得された時刻に基づいて決定し、前記記録媒体に記録された番組の再生終了時刻（Ｔ３）を前記番組情報抽出ステップで取得された番組情報に基づいて決定するステップと、
前記記録媒体に記録された番組の再生速度（Ｐ）をＰ＝（Ｔ３−Ｔ１）／（Ｔ３−Ｔ２）の関係で演算する再生速度演算ステップとを備え、前記再生速度演算ステップで演算された速度Ｐに基づいて前記記録媒体に記録された番組の再生を前記番組の放送終了時刻に合わせて終了するよう制御することを特徴とする記録再生方法。
【請求項１２】
放送受信された番組を記録しながら、この記録された番組を再生する記録再生方法において、
前記受信された番組が記録される記録ステップと、
前記放送受信された放送からこの放送で送信される時刻情報を抽出する時刻情報抽出ステップと、
前記放送受信された放送からこの放送で送信される番組の放送スケジュールに関する情報を抽出する番組情報抽出ステップと、
前記記録ステップにおける記録を制御する記録再生制御ステップとを備え、
前記記録再生制御ステップは前記記録媒体への番組の記録開始の指示および前記記録媒体に記録された番組の再生開始の指示を受け、前記番組の記録開始時刻（Ｔ１）および前記番組の再生開始時刻（Ｔ２）を前記時刻情報抽出ステップで取得された時刻に基づいて決定し、前記記録媒体に記録された番組の再生終了時刻（Ｔ３）を前記番組情報抽出ステップで取得された番組情報に基づいて決定するステップと、
前記記録媒体に記録された番組の再生速度（Ｐ）をＰ＝（Ｔ３−Ｔ１）／（Ｔ３−Ｔ２）の関係で演算する再生速度演算ステップと、
前記再生速度演算ステップで演算された再生速度Ｐを所定値（Ｎ）と比較確認する速度確認ステップと、
前記速度確認ステップで比較確認された再生速度が所定値Ｎより大きい場合は前記記録ステップに記録している番組に続いて放送される第２の番組の番組情報に基づいて再生終了時刻Ｔ３を変更する再生終了時刻変更ステップとを備え、前記再生速度演算ステップで演算された速度Ｐに基づいて前記記録媒体に記録された番組の再生を前記第２の番組の放送終了時刻に合わせて終了するよう制御することを特徴とする記録再生方法。
【請求項１３】
放送受信された番組を記録しながら、この記録された番組を再生する記録再生方法において、
前記受信された番組が記録される記録ステップと、
前記放送受信された放送からこの放送で送信される時刻情報を抽出する時刻情報抽出ステップと、
前記放送受信された放送からこの放送で送信される番組の放送スケジュールに関する情報を抽出する番組情報抽出ステップと、
前記記録ステップにおける記録を制御する記録再生制御ステップとを備え、
前記記録再生制御ステップは前記記録媒体への番組の記録開始の指示および前記記録媒体に記録された番組の再生開始の指示を受け、前記番組の記録開始時刻を前記時刻情報抽出ステップで取得された時刻に基づいて決定し、前記番組の再生開始時刻（Ｔ２）を前記記録媒体への番組の記録開始の指示を受けてから前記記録媒体に記録された番組の再生開始の指示を受けるまでの経過時間（Ｔｃ）を計測して前記前記記録媒体への番組の記録開始の指示を受けた時刻（Ｔ１）へ加えて決定（Ｔ２＝Ｔ１＋Ｔｃ）し、前記記録媒体に記録された番組の再生終了時刻を前記番組情報抽出ステップで取得された番組情報に基づいて決定し、前記番組の記録開始時刻、前記番組の再生開始時刻および前記記録媒体に記録された番組の再生終了時刻を用いて前記番組を前記記録しながら再生し、前記番組の放送終了時刻に合わせて前記記録媒体に記録された番組の再生を終了するよう制御することを特徴とする記録再生方法。
【請求項１４】
前記受信される放送はデジタル放送であり、前記時刻情報および前記番組の放送スケジュールに関する情報はデジタル信号の形態で受信された情報であることを特徴とする請求項８乃至１３いずれかに記載の記録再生方法。
【発明の詳細な説明】
【０００１】
【発明の属する技術分野】
この発明は放送受信された番組の記録再生に係り、特に放送番組を記録しながら再生する記録再生に関する。
【０００２】
【従来の技術】
近年、デジタル放送が開始され、このデジタル放送を記録するためにハードディスク（ＨＤＤ）等を用いた記録再生装置が実用化されつつある。
【０００３】
従来の記録再生装置は、ＨＤＤ等を用いることで記録されたデータの再生を迅速に行うことができる。このため、デジタル放送を記録しながら再生することも可能であり、ＨＤＤ等を用いた記録再生装置の大きな特徴の一つである。
【０００４】
この特徴を利用したＨＤＤ記録再生装置において、放送受信された番組を記録手段へ記録しながら、この記録された番組を早送り再生し、放送中のシーンに追いつく機能がある。ここでは、以下、この機能を追っかけ再生機能と呼ぶ。
【０００５】
【発明が解決しようとする課題】
しかしながら、従来の記録再生装置における追っかけ再生においては、通常再生に切り替わる際に、特に動きのあるシーンのとき等、表示画面上でのスピードが突然変わり、視聴者が違和感を覚える場合があった。
【０００６】
このような場合は、デジタルテレビ放送の番組の切り替わり目で通常再生にすることで、シーンが変わることから、違和感を軽減することができる。例えば特開２００１−１１９６７１号に提案されているように、視聴者がリモコン等を用い、追っかけ再生の終了時刻を番組終了時刻に設定する技術が開示されている。
【０００７】
しかしながら、この提案においては、視聴者が追っかけ再生の終了時刻を毎回設定しなければならない。このため、操作が複雑になり、視聴者にとっては煩雑であるという問題があった。
【０００８】
また、この提案においては、ＨＤＤに記録した信号を再生し、この再生信号中に含まれる時刻情報を取得することが必要である。このため、ＨＤＤに放送番組を記録する際に、デジタル放送中の時刻情報を変更または削除等を行って記録された場合や、デジタル放送のＴＳ（Ｔｏｒａｎｓｐｏｒｔ　Ｓｔｒｅａｍ）信号をデコードしてからＨＤＤに記録したり、別のフォーマットの信号に変換してから記録するような場合には、時刻情報が削除され、ＨＤＤから再生した再生信号中の時刻情報を取得できなくなるという問題があった。
【０００９】
【課題を解決するための手段】
この発明に係る記録再生装置は、受信された番組が記録される記録手段と、
前記放送受信された放送からこの放送で送信される時刻情報を抽出する時刻情報抽出手段と、前記放送受信された放送からこの放送で送信される番組の放送スケジュールに関する情報を抽出する番組情報抽出手段と、前記記録手段の記録再生を制御する記録再生制御手段とを備え、前記記録再生制御手段は前記記録媒体への番組の記録開始の指示および前記記録媒体に記録された番組の再生開始の指示を受け、前記番組の記録開始時刻および前記番組の再生開始時刻を前記時刻情報抽出手段で取得された時刻に基づいて決定し、前記記録媒体に記録された番組の再生終了時刻を前記番組情報抽出手段で取得された番組情報に基づいて決定し、前記番組の記録開始時刻、前記番組の再生開始時刻および前記記録媒体に記録された番組の再生終了時刻を用いて前記番組を前記記録手段へ記録しながら再生し、前記番組の放送終了時刻に合わせて前記記録媒体に記録された番組の再生を終了するよう制御するように構成している。
【００１０】
またこの発明に係る記録再生方法は、受信された番組を記録する記録ステップと、前記受信された放送からこの放送で送信される時刻情報を抽出する時刻情報抽出ステップと、前記放送受信された放送からこの放送で送信される番組の放送スケジュールに関する情報を抽出する番組情報抽出ステップと、前記記録ステップにおける記録を制御する記録再生制御ステップとを備え、前記記録再生制御ステップは前記記録媒体への番組の記録開始の指示および前記記録媒体に記録された番組の再生開始の指示を受け、前記番組の記録開始時刻および前記番組の再生開始時刻を前記時刻情報抽出ステップで取得された時刻に基づいて決定し、前記記録媒体に記録された番組の再生終了時刻を前記番組情報抽出ステップで取得された番組情報に基づいて決定し、前記番組の記録開始時刻、前記番組の再生開始時刻および前記記録媒体に記録された番組の再生終了時刻を用いて前記番組を前記記録しながら再生し、前記番組の放送終了時刻に合わせて前記記録媒体に記録された番組の再生を終了するよう制御するように構成している。
【００１１】
【発明の実施の形態】
以下、図面を用いてこの発明に係る実施の形態を説明する。
【００１２】
図１はこの発明の、第１の実施の形態に係る記録再生装置の全体構成を示す図である。
【００１３】
符号１０１はデジタル放送を受信するためのチューナ、符号１０２は受信した放送番組（コンテンツ）を記録再生する記録再生手段であり、ここではＨＤＤ（Ｈａｒｄ　Ｄｉｓｃ　Ｄｒｉｖｅ）を用いたＨＤＤ記録再生手段である。この記録再生手段はＨＤＤに限定されるものではない。
【００１４】
符号１０３は現在時刻抽出手段、符号１０４はＥＰＧ抽出手段である。符号１０７は記録再生装置全体を制御する制御手段である。放送局から放送されたデジタル放送はデジタル放送信号の状態でチューナー１０１で受信される。チューナー１０１では視聴者によって選択されたチャンネルが受信され、また、この放送で送信されるＴＳ（Ｔｒａｎｓｐｏｒｔ　　Ｓｔｒｅａｍ）信号を受信する。ＴＳ信号には映像／音声情報等の番組情報のほかに現在時刻情報やＥＰＧ情報（番組の放送スケジュールや番組に付随する情報）等が含まれている。ここで、ＥＰＧとはＥｌｅｃｔｒｏｎｉｃＰｒｏｇｒａｍ　　Ｇｕｉｄｅを示している。
【００１５】
現在時刻抽出手段１０３は、チューナ１０１で受信されたデジタル放送から現在時刻を抽出し制御手段１０７へ出力する。また同様に、ＥＰＧ抽出手段１０４は、デジタル放送からＥＰＧ情報を抽出し制御手段１０７へ出力する。
【００１６】
ＨＤＤ記録再生手段１０２は、ＴＳ信号の状態で受信された放送番組（デジタル信号）を図示しないＨＤＤへ記録する。ＨＤＤ記録再生手段１０２は、制御手段１０７からの制御信号によって録画／再生や再生速度が制御される。
【００１７】
符号１０５は視聴者が記録再生装置を操作するためのリモコン（リモートコントローラ）、符号１０６は記録再生装置に設けられた視聴者の操作指示を受けるリモコン受信手段である。
【００１８】
視聴者がリモコン１０５を操作するとリモコン受信手段１０６に操作指示が送信される。リモコン受信手段１０６は、この操作指示を所定フォーマットの電気信号に変換し、リモコン操作情報信号として制御手段１０７へ出力する。
【００１９】
制御手段１０７は、リモコン１０５の操作に応じて放送番組の録画開始を指示する信号、再生開始を指示する信号等をＨＤＤ記録再生手段１０２へ出力する。また、現在時刻抽出手段１０３から出力された現在時刻情報信号とＥＰＧ抽出手段１０４から出力されたＥＰＧ情報信号を取得し、放送受信された番組をＨＤＤへ記録しながら、この記録された番組を再生（いわゆる追っかけ再生）するための再生速度を算出し、再生速度制御信号としてＨＤＤ記録再生手段１０２へ出力する。
【００２０】
符号１０８はＴＳデコード手段、符号１０９は映像表示手段である。上記のようにＨＤＤ記録再生手段１０２は制御手段１０７によって記録された番組の再生において、再生速度制御信号によって再生速度が制御される。記録番組再生の際、ＨＤＤ記録再生手段１０２から出力される再生ＴＳ信号は、ＴＳデコード手段１０８へ出力される。ＴＳデコード手段１０８では、再生ＴＳ信号が復調され、映像信号が出力される。この映像信号は、映像表示手段１０９へ入力され、番組が映像として表示される。尚、上記では番組の例として映像を伴うものとして説明したが、映像を伴わない、ラジオ等の音声番組でも良い。
【００２１】
次に、この発明の記録再生装置に係る制御装置の動作を説明する。
【００２２】
この実施の形態においては、追っかけ再生の動作の一例として、リモコン１０５に一時停止ボタンを設けられ、デジタル放送を視聴中に視聴者によって一時停止ボタンが押されると、映像表示手段１０９に静止映像が表示されるものとする。また、再度、一時停止ボタンが押されると、追っかけ再生動作が実行されるものとする。
【００２３】
図２はこの発明の、第１の実施の形態に係る制御装置１０７を説明する図である。
【００２４】
符号２０１はリモコン操作判別制御手段、符号２０２は録画開始時刻記憶手段、符号２０３は再生開始時刻記憶手段、符号２０４は番組終了時刻抽出手段、符号２０５は再生速度演算手段、符号２０６は再生速度演算手段である。
【００２５】
上記のように、現在時刻抽出手段１０３から出力された現在時刻情報信号は、録画開始時刻記憶手段２０２、再生開始時刻記憶手段２０３、番組終了時刻抽出手段２０４、再生速度演算手段２０６へそれぞれ入力される。ＥＰＧ抽出手段１０４から出力されたＥＰＧ情報信号は、番組終了時刻抽出手段２０４へ入力される。また、リモコン受信手段１０６から出力されたリモコン操作情報信号は、リモコン操作判別制御手段２０１へ入力される。リモコン操作判別制御手段２０１では、視聴者がどのような指示をしたかを判別する。
【００２６】
視聴者の指示が再生開始指示信号である場合は、再生開始時刻記憶手段２０３、番組終了時刻抽出手段２０４へ出力され、それぞれ記憶される。また、この再生開始指示信号はＨＤＤ記憶再生手段１０２（図１）へ出力され、ＨＤＤ記憶再生手段１０２の再生開始が指示される。再生開始指示信号は再生速度演算手段２０５へも出力される。
【００２７】
視聴者の指示が録画開始指示信号である場合は、録画開始時刻記憶手段２０２へ出力され、記憶される。また、この録画開始指示信号はＨＤＤ記憶再生手段１０２（図１）へ出力され、ＨＤＤ記憶再生手段１０２の録画開始が指示される。再生開始指示信号は再生速度演算手段２０５へも出力される。
【００２８】
録画開始時刻記憶手段２０２、再生開始時刻記憶手段２０３、番組終了時刻抽出手段２０４にそれぞれ記憶された録画開始時刻、再生開始時刻、番組終了時刻は、適宜、再生速度演算手段２０５へ出力される。また、番組終了時刻抽出手段２０４に記憶された番組終了時刻は、時刻比較手段２０６へ入力される。時刻比較手段２０６では、現在時刻情報信号と番組終了時刻を比較し、比較した結果を再生速度演算手段２０５へ出力する。
【００２９】
再生速度演算手段２０５は、録画開始時刻記憶手段２０２、再生開始時刻記憶手段２０３、番組終了時刻抽出手段２０４、時刻比較手段２０６から取得する時刻情報、およびリモコン操作判別制御手段２０１から入力される再生開始信号、録画開始信号を取得し、録画している番組の再生速度を演算して再生速度制御信号としてＨＤＤ記録再生手段１０２へ出力する。ＨＤＤ記録再生手段１０２はこの再生速度制御信号に応じて録画している番組の再生を行う。
【００３０】
図３はこの発明の、第１の実施の形態に係る動作タイミングの一例を説明する図である。
【００３１】
ここでは、（ａ）現在時刻、（ｂ）受信しているデジタル放送における番組放送スケジュール、（ｃ）ＨＤＤ記録再生手段に記録している番組の再生の関係について示している。
【００３２】
現在時刻Ｔ１（７：００）でデジタル放送の番組１が開始する。また、視聴者もＴ１（＝７：００）にリモコン１０５の一時停止ボタンを押す。このとき、ＨＤＤ記録再生手段１０２に記録している番組１の録画開始時刻Ｔ１＝７：００のシーンについて、静止再生が行われる。
【００３３】
次に、現在時刻Ｔ２（＝７：１５）で再び視聴者がリモコン１０５の一時停止ボタンを押す。すると上記追っかけ再生が実行される。このとき、再生開始時刻Ｔ２＝７：１５である。また、上記のようにＥＰＧ情報から番組１の終了時刻Ｔ３（＝８：００）を取得し、追っかけ再生の再生速度（Ｐ）が演算される。ここでは通常再生の再生速度＝（×１倍速）に対してＰ＝（×４／３倍速）の早送り再生である。この再生速度Ｐ＝（×４／３倍速）で再生が実行され番組１の終了時刻Ｔ３（＝８：００）に追っかけ再生が終了する。このとき番組１の早送り再生と番組２の通常再生が切り替わって表示される。
【００３４】
図４はこの発明の、第１の実施の形態に係る動作のフローチャートである。
【００３５】
スタートに続いて符合Ｓ４０１を付したステップに進む。
【００３６】
ステップＳ４０１は録画開始指示があったかを判断するステップである。録画開始指示があった場合は符号Ｓ４０２を付したステップへ進む（Ｙｅｓ）。録画開始指示がなかった場合はここでの処理を繰り返す（Ｎｏ）。
【００３７】
ステップＳ４０２は録画開始時刻Ｔ１を記憶するステップである。続いて符合Ｓ４０３を付したステップへ進む。
【００３８】
ステップＳ４０３はＨＤＤ録画を開始するステップである。続いて符合Ｓ４０４を付したステップへ進む。
【００３９】
ステップＳ４０４は再生速度をＰ＝×０倍に設定するステップである。続いて符合Ｓ４０５を付したステップへ進む。
【００４０】
ステップＳ４０５はＨＤＤ再生（静止再生）を行うステップである。続いて符合Ｓ４０６を付したステップへ進む。
【００４１】
ステップＳ４０６は追っかけ再生の再生開始指示があったかを判断するステップである。再生開始指示があった場合は符号Ｓ４０７を付したステップへ進む（Ｙｅｓ）。再生開始指示がなかった場合はここでの処理を繰り返す（Ｎｏ）。
【００４２】
ステップＳ４０７は再生開始時刻Ｔ２を記憶するステップである。続いて符合Ｓ４０８を付したステップへ進む。
【００４３】
ステップＳ４０８は現在再生している番組の終了時刻Ｔ３を抽出するステップである。続いて符合Ｓ４０９を付したステップへ進む。
【００４４】
ステップＳ４０９は上記Ｔ１、Ｔ２、Ｔ３を用いて再生速度Ｐを算出するステップである。続いて符合Ｓ４１０を付したステップへ進む。
【００４５】
ステップＳ４１０は上記算出されたＰに応じてＨＤＤ再生（早送り再生）を行うステップである。続いて符合Ｓ４１１を付したステップへ進む。
【００４６】
ステップＳ４１１は現在時刻と番組終了時刻が一致したかを判断するステップである。現在時刻と番組終了時刻が一致した場合は符号Ｓ４１２を付したステップへ進む（Ｙｅｓ）。現在時刻と番組終了時刻が一致しなかった場合はここでの処理を繰り返す（Ｎｏ）。
【００４７】
ステップＳ４１２は再生速度Ｐ＝×１倍速に設定するステップである。続いて符合Ｓ４１３を付したステップへ進む。
【００４８】
ステップＳ４１３ではＨＤＤ再生（通常再生）が実行される。
【００４９】
すなわち、ここでは、現在時刻Ｔ１＝７：００のときにデジタル放送の番組１が開始する、このときＴ１＝７：００に視聴者がリモコン１０５の一時停止ボタンを押す。するとリモコン操作判別制御手段２０１から録画開始指示信号を出力される。
【００５０】
録画開始時刻記憶手段２０２は録画開始指示信号により現在時刻データを記憶し、再生速度演算手段２０６に出力する。ここでは録画開始時刻Ｔ１＝”７：００”と記憶する。ＨＤＤ記録再生手段１０２は録画を開始する。
【００５１】
再生速度演算手段２０５は録画開始指示信号により再生速度Ｐ＝０と設定した再生速度制御信号をＨＤＤ記録再生手段１０２に出力する。ＨＤＤ記録再生手段１０２は、録画開始時刻Ｔ１＝７：００の番組１の静止再生を行う。
【００５２】
記憶再生装置は、再度、視聴者がリモコン１０５の一時停止ボタンを押すのを待つ。それまでは静止画像の再生を継続する。
【００５３】
次に、現在時刻Ｔ２（＝７：１５）において、再度、視聴者がリモコン１０５の一時停止ボタンを押す。すると、リモコン操作判別制御手段２０１は静止画像の再生中に一時停止ボタンが押されたので、視聴者が再生指示をしたと判別し、再生指示信号を出力する。
【００５４】
再生開始時刻記憶手段２０３は、再生指示信号を受けて現在時刻データを記憶し、再生速度演算手段２０６へ出力する。ここでは再生開始時刻Ｔ２＝７：１５と記憶する。
【００５５】
番組終了時刻抽出手段２０４は、再生指示制御信号を受けると、ＥＰＧ情報信号から現在視聴中の番組情報のうち、終了時刻または次の番組の開始時刻を抽出する。ここでは”８：００”に番組１が終了するので、番組終了時刻Ｔ３＝８：００を抽出する。
【００５６】
再生速度演算手段２０５は、再生開始指示信号を受けて、録画開始時刻Ｔ１、再生開始時刻Ｔ２、番組終了時刻Ｔ３から次に示す数式により再生速度Ｐを算出する。
Ｐ＝（Ｔ３−Ｔ１）／（Ｔ３−Ｔ２）
ここで算出された再生速度Ｐを再生速度制御信号として、ＨＤＤ記録再生手段１０２へ出力する。
【００５７】
ここでの例では録画開始時刻Ｔ１＝７：００、再生開始時刻Ｔ２＝７：１５、番組終了時刻Ｔ３＝８：００なので、分刻みに換算すると再生速度Ｐ＝６０分／４５分＝４／３　となり、４／３倍速でＨＤＤ記録再生手段１０２が再生するように制御指示する。ＨＤＤ記録再生手段１０２は早送り再生を行い、追っかけ再生が実行される。
【００５８】
また、時刻比較手段２０６は現在時刻と番組終了時刻Ｔ３を比較し、現在時刻が番組終了時刻に到達したか否かを判別する。番組終了時刻Ｔ３に到達していなければＨＤＤ記録再生手段１０２は追っかけ再生を続け、現在時刻と番組終了時刻Ｔ３との比較を続ける。
【００５９】
現在時刻が８：００に到達し、番組１から番組２に切り替わると、時刻比較手段２０５は現在時刻が番組終了時刻Ｔ３に到達したと判断し、番組終了指示信号を再生速度演算手段２０５に出力する。
【００６０】
再生速度演算手段２０５は、番組終了指示信号により再生速度Ｐ＝１に設定した再生速度制御信号をＨＤＤ記録再生手段１０２に出力する。
【００６１】
ＨＤＤ記録再生手段１０２は追っかけ再生を終了し、通常再生（ｘ１倍速）に切り替わる。
【００６２】
このように構成することによって、上記例では、現在時刻が８：００で追っかけ再生が終了し、早送り再生（×４／３倍速）から通常再生（×１倍速）に切り替わる。このとき番組１から番組２にシーンが切り替わるので、番組が異なることから、両者の再生速度が変わっても視聴者に与える違和感を軽減することができる。
【００６３】
この発明の実施の形態においては、デジタル放送番組の切り替わりで追っかけ再生が終了するように構成しているので、シーンが切り替わり、再生速度が変わっても視聴者に与える違和感を軽減することができる。
【００６４】
またこの発明の実施の形態においては、現在追っかけ再生をしている番組の終了時刻または次番組の開始時刻をＥＰＧから抽出し、追っかけ再生が終了する時刻が自動的に設定されるため、視聴者が逐次、リモコン等で詳細事項について設定する煩わしさを改善し、使用感を向上することができる。
【００６５】
尚、この発明の実施の形態においては、ＨＤＤ記録再生手段１０２にはＴＳ信号を記録再生する例を用いたが、ＨＤＤ記録再生手段１０２とＴＳデコード手段１０８を入れ替え、ＴＳ信号をデコードし、映像信号そのものをＨＤＤ記録再生手段１０２に記録再生するように構成しても良い。何故ならば、時刻情報はチューナー１０１から取得するので、ＨＤＤに記録するときに時刻情報が消失しても特に支障はないからである。
【００６６】
また、上記説明した制御手段１０７の代わりに、ＣＰＵ（Ｃｅｎｔｒａｌ　ＰｒｏｃｅｓｓｉｎｇＵｎｉｔ）等の演算装置を用い、図４で説明したフローチャートに従って、ソフトウェア処理で動作させるこことも可能である。
【００６７】
次に、この発明の、第１の実施の形態を他に応用した例を説明する。
【００６８】
上記第１の実施の形態においては、デジタル放送に含まれる現在時刻情報を抽出し、録画開始時刻記憶手段２０２、再生開始時刻記憶手段２０３に記憶していた。ここでは、上記実施の形態に加え、さらに時刻生成機能を備えた例について説明する。
【００６９】
図５はこの発明の、第１の実施の形態を応用した例を示す図である。
【００７０】
ここでは、上記説明と同一の構成については同一の符号を付して説明を省略する。
【００７１】
符号５０１は時刻生成手段である。現在時刻抽出手段１０３でデジタル放送の現在時刻情報を抽出し、時刻生成手段５０１へ出力する。時刻生成手段５０１では、現在時刻抽出手段１０３の出力を基準時刻として時刻合わせを行う。この時刻合わせの後は、１分単位、１秒単位等のデジタル放送の現在時刻情報より詳細な単位で時間を計測することができる。このため、より精度の高い時刻情報を使用することができる。
【００７２】
この時刻生成手段５０１で生成した時刻情報を制御手段１０７に供給することで、録画開始時刻や再生開始時刻もより精度を高くすることができる。
【００７３】
また、従来の再生記録装置においては、ＨＤＤにデジタル放送の時刻情報もそのまま記録する必要があった。このため、デジタル放送で基準時刻しか送信されない場合は、追っかけ再生を実現することができなかった。
【００７４】
この発明の実施の形態においては、このように、デジタル放送で基準時刻が送信されれば、時刻生成手段を付加することで上記問題を解決することができる。
【００７５】
次に、この発明に係る第２の実施の形態を説明する。
【００７６】
この第２の実施の形態においては、上記説明した第１の実施の形態に、記録媒体１０２に記録されている番組を再生する際に、再生速度を制御する思想を加えたものである。ここでは、全体構成は上記説明した図１と同じであり、制御手段１０７が第１の実施例と異なっている。
【００７７】
上記第１の実施の形態においては、ＨＤＤ記録再生手段１０２の早送り再生に係る再生速度については特に説明しなかったが、あまり高速に早送り再生すると、視聴者が内容を把握できなくなるという場合が考えられる。
【００７８】
図６はこの発明の、第２の実施の形態に係る制御装置の構成を説明する図である。符号は上記と同様に１０７を付している。
【００７９】
第１の実施の形態と同じ構成は同一の符号を付して説明を省略する。
【００８０】
符号６０１は現番組終了時刻／次番組終了時刻抽出手段である。ここでは、上記説明した番組終了時刻抽出手段２０４（図２）が現番組終了時刻／次番組終了時刻抽出手段６０１へ置換されている。また、再生速度演算手段２０５（図２）の出力を受ける速度確認手段６０２が追加されている。そして、速度確認手段６０２の出力を再生速度制御信号としている。
【００８１】
図７はこの発明の、第２の実施の形態に係る追っかけ再生の動作タイミングの一例を説明する図である。
【００８２】
ここでは、（ａ）現在時刻、（ｂ）受信しているデジタル放送における番組放送スケジュール、（ｃ）ＨＤＤ記録再生手段に記録している番組の再生の関係について示している。
【００８３】
現在時刻Ｔ１（７：００）でデジタル放送の番組１が開始する。また、視聴者もＴ１（＝７：００）にリモコン１０５の一時停止ボタンを押す。このとき、ＨＤＤ記録再生手段１０２に記録している番組１の録画開始時刻Ｔ１＝７：００のシーンについて、静止再生が行われる。
【００８４】
次に、現在時刻Ｔ２（＝７：４５）で再び視聴者がリモコン１０５の一時停止ボタンを押す。すると追っかけ再生が実行される。このとき、再生開始時刻Ｔ２＝７：４５である。また、上記のようにＥＰＧ情報から番組１の終了時刻Ｔ３（＝８：００）を取得し、追っかけ再生の再生速度（Ｐ）が演算される。
【００８５】
上記と同様に、現番組（番組１）の終了時刻に基づいて再生速度Ｐが演算によって算出される。続いて、この算出された再生速度Ｐが予め決められた所定の最大値Ｎ以下であるか否か（ＰはＮより小さいかまたはＰと同じか）が判断される。上記説明したように、早送り再生をあまり高速に行うと、視聴者が番組の内容を把握できなくなるという場合が考えられるため、Ｎの値は視聴者が番組の内容を把握できる程度に決められることが望ましい。
【００８６】
Ｐの値が最大値Ｎより大きい場合は、次番組（番組２）の終了時刻に基づいて再生速度Ｐが演算によって算出される。ここでは次番組（番組２）の終了時刻Ｔ３が９：００であることから、早送り再生速度Ｐは×８／５倍速と求められる。そして、この再生速度Ｐ＝（８／５倍速）で再生が実行され番組２の終了時刻Ｔ３（＝９：００）に追っかけ再生が終了する。このとき番組２の早送り再生と番組３の通常再生が切り替わって表示される。
【００８７】
尚、次番組（番組２）の終了時刻に基づいて求められた再生速度Ｐが、最大値Ｎより大きい場合は、同様の動作を繰り返し、次々番組（番組３）の終了時刻に基づいて再生速度Ｐが演算によって算出される。
【００８８】
図８はこの発明の、第２の実施の形態に係る動作のフローチャートである。
【００８９】
ここでは上記説明した第１の実施の形態と同じ構成は同一の符号を付して説明を省略する。上記第１の実施の形態（図４）で説明したＳ４０１からＳ４０５は同じ構成のため説明を省略し、Ｓ４０６からの動作フローを用いて説明する。
【００９０】
スタートに続いて符合Ｓ４０６を付したステップへ進む。
【００９１】
ステップＳ４０６は再生開始指示があったかを判断するステップである。再生開始指示があった場合は符号Ｓ４０７を付したステップへ進む（Ｙｅｓ）。再生開始指示がなかった場合はここでの処理を繰り返す（Ｎｏ）。
【００９２】
ステップＳ４０７は再生開始時刻Ｔ２を記憶するステップである。続いて符合Ｓ４０８を付したステップへ進む。
【００９３】
ステップＳ４０８は現在の番組（番組１）の終了時刻Ｔ３を抽出するステップである。続いて符合Ｓ４０９を付したステップへ進む。
【００９４】
ステップＳ４０９は再生速度Ｐを算出するステップである。続いて符合Ｓ８０１を付したステップへ進む。
【００９５】
ステップＳ８０１は、再生速度Ｐが最大値Ｎ以下（ＰはＮより小さいまたはＮと同じ）であるかを判断するステップである。再生速度Ｐが最大値Ｎ以下であった場合は符号Ｓ４１０を付したステップへ進む（Ｙｅｓ）。再生速度Ｐが最大値Ｎ以下でなかった場合は符号Ｓ８０２を付したステップへ進む（Ｎｏ）。
【００９６】
ステップＳ８０２は次の番組（番組２）の終了時刻Ｔ３を再抽出するステップである。続いて符合Ｓ４０９を付したステップへ進む。
【００９７】
ステップＳ４１０は上記算出されたＰに応じてＨＤＤ再生（早送り再生）を行うステップである。続いて符合Ｓ４１１を付したステップへ進む。
【００９８】
ステップＳ４１１は現在時刻と番組（番組２）の終了時刻が一致したかを判断するステップである。現在時刻と番組（番組２）の終了時刻が一致した場合は符号Ｓ４１２を付したステップへ進む（Ｙｅｓ）。現在時刻と番組（番組２）の終了時刻が一致しなかった場合はここでの処理を繰り返す（Ｎｏ）。
【００９９】
ステップＳ４１２は再生速度Ｐ＝×１倍速に設定するステップである。続いて符合Ｓ４１３を付したステップへ進む。
【０１００】
ステップＳ４１３ではＨＤＤ再生（通常再生）が実行される。
【０１０１】
すなわち、Ｓ４０６で現在時刻が”７：４５”のときリモコン操作判別制御手段２０１から再生開始指示信号が出力される。続いてＳ４０７へ進み、再生開始時刻記憶手段２０３は再生開始時刻Ｔ２＝”７：４５”を記憶する。
【０１０２】
現番組終了時刻／次番組終了時刻抽出手段６０１は、再生開始指示信号を受け、Ｓ４０７では上記第１の実施形態と同じく、現在放送中の番組１の終了時刻”８：００”を抽出し、番組終了時刻Ｔ３＝”８：００”とする。
【０１０３】
つづいてＳ４０８に進み、再生速度演算手段２０５で再生速度Ｐを算出する。ここでは、録画開始時刻Ｔ１＝”７：００”、再生開始時刻Ｔ２＝”７：４５”、番組（番組１）の終了時刻Ｔ３＝”８：００”なので、分刻みに換算して再生速度Ｐ＝６０分／１５分＝４　となり、４倍速でＨＤＤ記録再生手段１０２が再生するように制御しようとする。
【０１０４】
続いて、Ｓ４０８からＳ８０１に進み、速度確認手段６０２は再生速度演算手段２０５の演算結果の再生速度Ｐが、ＨＤＤ記録再生手段１０２が再生可能な最大再生速度Ｎ以下か否かを判別する。この例では、Ｎ＝３としている。すなわち、ＨＤＤ記録再生手段１０２が再生可能な範囲を３倍速までとする。
【０１０５】
したがって、Ｓ８０１ではＰ＝４のため上記条件を満たしていない。このため、Ｓ８０１からＳ８０２に進む。続いて、速度確認手段６０２から再抽出指示信号を現番組終了時刻／次番組終了時刻抽出手段６０１へ出力する。
【０１０６】
現番組終了時刻／次番組終了時刻抽出手段６０１は再抽出指示信号を受け、次番組（番組１の次の番組２）の終了時刻を抽出し、番組終了時刻Ｔ３＝”９：００”として再度再生速度演算手段２０５へ出力する。
【０１０７】
続いて、Ｓ８０２からＳ４０８に進み、再生速度演算手段２０５は再度再生速度Ｐを算出する。　このとき、番組終了時刻Ｔ３＝”９：００”なので、分刻みに換算して再生速度Ｐ＝１２０分／７５分
＝８／５となる。
【０１０８】
Ｓ８０１はＰ≦Ｎの条件を満たすので、Ｓ８０１からＳ４０９へ進み、速度確認手段６０２は再生速度演算手段２０５の出力を選択して再生速度制御信号として出力する。つまり、８／５倍速でＨＤＤ記録再生手段１０２が再生するように制御し、ＨＤＤ記録再生手段１０２は早送り再生して追っかけ再生が実行される。
【０１０９】
Ｓ４１０以降は第１の実施例と同様に、番組２の終了時刻”９：００”に現在時刻が到達したときにＨＤＤ記録再生手段１０２は通常再生に切り替わる。
【０１１０】
また番組２の放送時間が短く、再生速度Ｐが最大再生速度Ｎを超えるときは、さらに次の番組３、番組４・・・と、Ｓ４０８→Ｓ８０１→Ｓ８０２のフローを繰り返し、Ｓ８０１の条件を満たすまで処理を継続する。
【０１１１】
以上説明したように、この発明の第２の実施の形態では、現在放送中の番組（番組１）の終了時刻には最大再生速度でも追っかけ再生が終了しないときは、次の番組（番組）の終了時刻を追っかけ再生の終了時刻としている。
【０１１２】
次に、この発明に係る第３の実施の形態を説明する。
【０１１３】
この第３の実施の形態においては、上記第１の実施の形態で説明した制御手段１０７の、再生開始時刻記憶手段２０３がタイマー手段９０１および加算手段９０２に置き換わっている。全体構成は上記説明した図１と同じである。
【０１１４】
図９はこの発明の、第３の実施の形態に係る制御装置の構成を説明する図である。符号は上記と同様に１０７を付す。
【０１１５】
第１の実施の形態と同じ構成は同一の符号を付して説明を省略する。
【０１１６】
ここでは、リモコン操作判別制御手段２０１から出力された録画開始指示信号が、録画開始時刻記憶手段２０２、再生速度演算手段２０５に入力されるとともに、タイマー手段９０１にも入力される。
【０１１７】
タイマー手段９０１は録画開始指示信号を受けて、一定間隔で時間の計数を開始する。タイマー手段９０１は、再生開始指示があるまで計数動作を続ける。タイマー手段９０１の計数時間は加算手段９０２に出力される。
【０１１８】
加算手段９０２は、録画開始時刻に上記計数時間を加えて、再生開始時刻を算出する。この算出された再生開始時刻は再生速度演算手段２０５へ出力される。
【０１１９】
図１０はこの発明の、第３の実施の形態に係る動作タイミングの一例を説明する図である。
【０１２０】
ここでは、（ａ）現在時刻、（ｂ）受信しているデジタル放送における番組放送スケジュール、（ｃ）ＨＤＤ記録再生手段に記録している番組の再生の関係、（ｄ）タイマーについて示している。
【０１２１】
現在時刻Ｔ１（７：００）でデジタル放送の番組１が開始する。また、視聴者もＴ１（＝７：００）にリモコン１０５の一時停止ボタンを押す。このとき、ＨＤＤ記録再生手段１０２に記録している番組１の録画開始時刻Ｔ１＝７：００のシーンについて、静止再生が行われる。
【０１２２】
次に、再び視聴者がリモコン１０５の一時停止ボタンを押す。すると、リモコン操作判別制御手段２０１から再生開始信号が出力され、追っかけ再生が実行される。このとき、タイマー手段９０１は録画開始時刻Ｔ１（＝７：００）から再生開始信号が出力されるまでの時間（Ｔｃ）をカウントする。ここでは、Ｔｃ＝１５分間である。したがって、再生開始時刻Ｔ２は７：００から１５分間経過した時刻、つまり、７：１５である。また、上記のようにＥＰＧ情報から番組１の終了時刻Ｔ３（＝８：００）を取得し、追っかけ再生の再生速度（Ｐ）が演算される。ここでは通常再生の再生速度＝（×１倍速）に対してＰ＝（×４／３倍速）の早送り再生である。この再生速度Ｐ＝（×４／３倍速）で再生が実行され番組１の終了時刻Ｔ３（＝８：００）に追っかけ再生が終了する。このとき番組１の早送り再生と番組２の通常再生が切り替わって表示される。
【０１２３】
この発明の、第３の実施の形態においては、番組の録画開始時刻（Ｔ１）から再生開始信号が出力されるまでの経過時間（Ｔｃ）をカウントし、録画開始時刻Ｔ１へ経過時間Ｔｃを加えることで、再生開始時刻（Ｔ２）を求めている。
【０１２４】
図１１はこの発明の、第３の実施の形態に係る動作のフローチャートである。
【０１２５】
第１の実施の形態と同じ構成については同一の符号を付して説明を省略する。
【０１２６】
スタートに続いて符合Ｓ４０１を付したステップに進む。
【０１２７】
ステップＳ４０１は録画開始指示があったかを判断するステップである。録画開始指示があった場合は符号Ｓ４０２を付したステップへ進む（Ｙｅｓ）。録画開始指示がなかった場合はここでの処理を繰り返す（Ｎｏ）。
【０１２８】
ステップＳ４０２は録画開始時刻Ｔ１を記憶するステップである。続いて符合Ｓ１１０１を付したステップへ進む。
【０１２９】
ステップＳ１１０１はタイマーを０に初期化するステップである。続いて符合Ｓ４０３を付したステップへ進む。
【０１３０】
ステップＳ４０３はＨＤＤ録画を開始するステップである。続いて符合Ｓ４０４を付したステップへ進む。
【０１３１】
ステップＳ４０４は再生速度をＰ＝×０倍に設定するステップである。続いて符合Ｓ４０５を付したステップへ進む。
【０１３２】
ステップＳ４０５はＨＤＤ再生（静止再生）を行うステップである。続いて符合Ｓ１１０２を付したステップへ進む。
【０１３３】
ステップＳ１１０２はタイマーをカウント動作するステップである。続いて符合Ｓ４０６を付したステップへ進む。
【０１３４】
ステップＳ４０６は追っかけ再生の再生開始指示があったかを判断するステップである。再生開始指示があった場合は符号Ｓ１１０３を付したステップへ進む（Ｙｅｓ）。再生開始指示がなかった場合はステップＳ１１０２へ戻り、上記処理を繰り返す（Ｎｏ）。
【０１３５】
ステップＳ１１０３はタイマーを停止するステップである。続いて符合Ｓ４０８を付したステップへ進む。
【０１３６】
ステップＳ４０８は現在再生している番組の終了時刻Ｔ３を抽出するステップである。続いて符合Ｓ４０９を付したステップへ進む。
【０１３７】
ステップＳ４０９は再生速度Ｐを算出するステップである。続いて符合Ｓ４１０を付したステップへ進む。
【０１３８】
ステップＳ４１０は上記算出されたＰに応じてＨＤＤ再生（早送り再生）を行うステップである。続いて符合Ｓ４１１を付したステップへ進む。
【０１３９】
ステップＳ４１１は現在時刻と番組終了時刻が一致したかを判断するステップである。現在時刻と番組終了時刻が一致した場合は符号Ｓ４１２を付したステップへ進む（Ｙｅｓ）。現在時刻と番組終了時刻が一致しなかった場合はここでの処理を繰り返す（Ｎｏ）。
【０１４０】
ステップＳ４１２は再生速度Ｐ＝×１倍速に設定するステップである。続いて符合Ｓ４１３を付したステップへ進む。
【０１４１】
ステップＳ４１３ではＨＤＤ再生（通常再生）が実行される。
【０１４２】
すなわち、この発明の第３の実施の形態においては、現在時刻”７：００”に録画開始指示があり、録画開始指示信号が録画開始時刻記憶手段２０２、再生速度演算手段２０５に出力されるとともにタイマー手段９０１にも出力される。Ｓ１１０１でタイマー手段９０１は０に初期化される。タイマー手段９０１は録画開始指示信号により初期化すると、一定間隔で時間の計数（カウント）を開始する。
【０１４３】
Ｓ４０５でＨＤＤ記録再生手段１０２が静止再生を開始し、Ｓ１１０２に進み、タイマー手段９０１は時間の計数（カウント）を継続する。そして、Ｓ４０６で再生開始指示があるまでタイマー手段９０１は計数動作を継続する。ここでは図１０（ｄ）に示す、ように１分間隔でカウントアップする。
【０１４４】
そして、現在時刻”７：１５”にＳ４０６で再生開始指示があり、再生開始指示信号が番組終了時刻抽出手段２０４、再生速度演算手段２０５に出力されるとともにタイマー手段９０１にも出力される。Ｓ４０６からＳ１１０３に進み、タイマー手段９０１は計数動作を停止し、図１０（ｄ）に示すように計数時間＝”１５分”となる。
【０１４５】
タイマー手段９０１の計数時間Ｔｃは加算手段９０２へ出力される。加算手段９０２は次に示す式によって、録画開始時刻Ｔ１に計数時間Ｔｃを加え、再生開始時刻Ｔ２を算出する。
【０１４６】
Ｔ２＝Ｔ１＋Ｔｃ
Ｓ４０８以降は第１の実施例と同じくして動作する。
【０１４７】
このように、録画開始時刻から再生開始時刻までの時間を計測することで、現在時刻情報信号から再生開始時刻Ｔ２を記憶しなくても、再生開始時刻Ｔ２を求めることができる。
【０１４８】
この発明は、上記一例として説明した映像による放送の録画だけではなく、例えばラジオ放送等のような音声を録音する場合にも用いることができる。この場合は、番組の切り替わり目で音声も変わるので、追っかけ再生を行っても視聴者に与える違和感を軽減することができるという効果を得ることができる。
【０１４９】
【発明の効果】
この発明は、ＥＰＧ情報等の番組情報を用いて放送番組の切り替わる時刻を取得し、この切り替わり時刻に合わせて追っかけ再生を終了し、シーンの切り替わり目で通常速度に戻るようにしているので、通常速度に戻ったときに、視聴者に与える違和感を軽減することができる。
【０１５０】
またこの発明は、再生開始時刻記憶手段により再生を開始した時刻がわかるので、記録媒体への記録時に時刻の変更や消去等があっても追っかけ再生を安定的に行うことができる。
【０１５１】
またこの発明は、再生速度を制御することで、視聴者が放送内容を理解できる範囲の追っかけ再生を行うことができる。
【０１５２】
またこの発明は、従来視聴者が行っていた時間／時刻設定等を自動的に行うように構成しているので、視聴者の時間／時刻設定等にかかる煩わしさを軽減することができる。
【図面の簡単な説明】
【図１】この発明に係る記録再生装置の全体構成を示す図。
【図２】この発明の、第１の実施の形態に係る制御装置を説明する図。
【図３】この発明の、第１の実施の形態に係る動作タイミングを説明する図。
【図４】この発明の、第１の実施の形態に係る動作のフローチャート。
【図５】この発明の、第１の実施の形態を応用した図。
【図６】この発明の、第２の実施の形態に係る制御装置の構成を説明する図。
【図７】この発明の、第２の実施の形態に係る動作タイミングを説明する図。
【図８】この発明の、第２の実施の形態に係る動作のフローチャート。
【図９】この発明の、第３の実施の形態に係る制御装置の構成を説明する図。
【図１０】この発明の、第３の実施の形態に係る動作タイミングを説明する図。
【図１１】この発明の、第３の実施の形態に係る動作のフローチャート。
【符号の説明】
１０１　…　チューナ
１０２　…　記録再生手段
１０３　…　現在時刻抽出手段、
１０４　…　ＥＰＧ抽出手段
１０５　…　リモコン（リモートコントローラ）
１０６　…　リモコン受信手段である。
１０７　…　制御手段
１０８　…　ＴＳデコード手段
１０９　…　映像表示手段
２０１　…　リモコン操作判別制御手段、
２０２　…　録画開始時刻記憶手段、
２０３　…　再生開始時刻記憶手段、
２０４　…　番組終了時刻抽出手段、
２０５　…　再生速度演算手段、
２０６　…　再生速度演算手段である。
５０１　…　時刻生成手段
６０１　…　現番組終了時刻／次番組終了時刻抽出手段
６０２　…　速度確認手段
９０１　…　タイマー手段
９０２　…　加算手段
【図１】
2004048525.tif 000003
【図２】
2004048525.tif 000004
【図３】
2004048525.tif 000005
【図４】
2004048525.tif 000006
【図５】
2004048525.tif 000007
【図６】
2004048525.tif 000008
【図７】
2004048525.tif 000009
【図８】
2004048525.tif 000010
【図９】
2004048525.tif 000011
【図１０】
2004048525.tif 000012
【図１１】
2004048525.tif 000013